【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
複数の画像を一画面に表示するよう制御する表示制御手段と、
前記表示制御手段で表示された画像の指定を受け付ける受付手段と、
前記受け付け手段により、前記表示されている画像の指定が受け付けられた場合、該画像に対して特定の処理を行うよう制御する制御手段とを有し、
前記表示されている画像のうち選択状態でない画像かつ所定の大きさ未満のサイズで表示されている画像の指定が、前記受け付け手段により受け付けられた場合、前記制御手段は、該画像に対して前記特定の処理を行うことなく該画像を選択状態にするよう制御することを特徴とした表示制御装置。
【請求項２】
前記所定の大きさ以上のサイズで表示されている画像の指定が前記受け付け手段により受け付けられた場合、前記制御手段は、前記指定された画像が選択状態であるか否かに関わらず、該画像に対して前記特定の処理を行うよう制御する請求項１に記載の表示制御装置。
【請求項３】
前記表示されている画像のうち、選択状態の画像の指定が前記受け付け手段により受け付けられた場合、前記制御手段は、前記指定された画像の表示サイズに関わらず、該画像に対して前記特定の処理を行うよう制御する請求項１または２に記載の表示制御装置。
【請求項４】
複数の画像を同一のサイズで一画面に表示するよう制御する表示制御手段と、
前記表示制御手段で表示された画像の指定を受け付ける受付手段と、
前記受け付け手段により、前記画面に表示される画像の指定が受け付けられた場合、該画像に対して特定の処理を行うよう制御する制御手段とを有し、
前記画面に表示される複数の画像の数が所定の数よりも多い状態で、選択状態でない画像の指定が前記受け付け手段により受け付けられた場合、前記制御手段は、前記指定された画像に対して特定の処理を行うことなく前記指定された画像を選択状態にするよう制御することを特徴とする表示制御装置。
【請求項５】
前記画面に表示される複数の画像の数が所定の数以下の状態で前記画像の指定が前記受け付け手段により受け付けられた場合、前記制御手段は、前記指定された画像が選択状態であるか否かに関わらず、該画像に対して前記特定の処理を行うよう制御する請求項４に記載の表示制御装置。
【請求項６】
前記表示されている画像のうち、選択状態の画像の指定が前記受け付け手段により受け付けられた場合、前記制御手段は、前記画面に表示される画像の数に関わらず、該画像に対して前記特定の処理を行うよう制御する請求項４または５に記載の表示制御装置。
【請求項７】
非選択状態の画像の指定を受け付ける領域よりも、選択状態の画像の指定を受け付ける領域を広くする受付領域拡大手段を備えることを特徴とする請求項１乃至６のいずれか１項に記載の表示制御装置。
【請求項８】
前記表示制御手段は、前記画像を選択状態か非選択状態か区別し得る態様で表示するよう制御することを特徴とする請求項１乃至７の何れか１項に記載の表示制御装置。
【請求項９】
前記表示制御手段は、選択状態の画像を枠で囲むことを特徴とする請求項８に記載の表示制御装置。
【請求項１０】
前記表示制御手段は、選択状態の画像を非選択状態の画像よりも拡大して表示することを特徴とする請求項８または９に記載の表示制御装置。
【請求項１１】
前記指定を受け付けた画像を決定状態にする決定手段を備え、
前記制御手段は、前記受付手段により指定を受け付けた画像が選択状態である場合又は所定の大きさ以上のサイズで表示されている場合、前記決定手段により、該画像を決定状態にすることを特徴とする請求項１乃至３のいずれか１項に記載の表示制御装置。
【請求項１２】
前記指定を受け付けた画像を決定状態にする決定手段を備え、
前記制御手段は、前記受付手段により指定を受け付けた画像が選択状態である場合又は前記画面に表示される画像の画像が所定の数以下である場合、前記決定手段により、該画像を決定状態にすることを特徴とする請求項４乃至６のいずれか１項に記載の表示制御装置。
【請求項１３】
前記表示制御手段は、前記決定状態と非決定状態とを区別し得る態様で表示するよう制御することを特徴とする請求項１１又は１２に記載の表示制御装置。
【請求項１４】
前記表示制御手段は、前記決定状態の画像を、選択状態の画像を囲む枠とは異なる表示形態の枠で囲むことを特徴とする請求項１３に記載の表示制御装置。
【請求項１５】
前記受付手段による指定の受け付けに応じて計時を開始する計時手段を備え、
前記計時手段による計時が所定時間以上行われた場合、前記制御手段は、前記指定を受け付けた画像の表示サイズと選択状態に関わらず、該画像に対して特定の処理を行うことを特徴とする請求項１乃至３のいずれか１項に記載の表示制御装置。
【請求項１６】
前記受付手段による指定の受け付けに応じて計時を開始する計時手段を備え、
前記計時手段による計時が所定時間以上行われた場合、前記制御手段は、前記画面に表示される画像の数と前記指定を受け付けた画像の選択状態に関わらず、該画像に対して特定の処理を行うことを特徴とする請求項４乃至６のいずれか１項に記載の表示制御装置。
【請求項１７】
前記受付手段における指定動作の押圧を検出することができる検出手段を備え、
前記検出手段によって検出した押圧が所定の大きさ以上の場合、前記制御手段は、前記指定を受け付けた画像の表示サイズと選択状態に関わらず、該画像に対して特定の処理を行うことを特徴とする請求項１乃至３のいずれか１項に記載の表示制御装置。
【請求項１８】
前記受付手段における指定動作の押圧を検出することができる検出手段を備え、
前記検出手段によって検出した押圧が所定の大きさ以上の場合、前記制御手段は、前記画面に表示される画像の数と前記指定を受け付けた画像の選択状態に関わらず、該画像に対して特定の処理を行うことを特徴とする請求項４乃至６のいずれか１項に記載の表示制御装置。
【請求項１９】
前記特定の処理が画面の切り替えを伴わずに取り消しが可能な処理である場合、前記制御手段は、前記指定を受け付けた画像の表示サイズと選択状態に関わらず該画像に対して特定の処理を行うことを特徴とする請求項１乃至３のいずれか１項に記載の表示制御装置。
【請求項２０】
前記特定の処理が画面の切り替えを伴わずに取り消しが可能な処理である場合、前記制御手段は、前記画面に表示される画像の数と前記指定を受け付けた画像の選択状態に関わらず該画像に対して特定の処理を行うことを特徴とする請求項４乃至６のいずれか１項に記載の表示制御装置。
【請求項２１】
前記受付手段とは、タッチパネル、タッチパッド、マウス、トラックボール、トラックポイントのいずれかであることを特徴とする請求項１乃至２０のいずれか１項に記載の表示制御装置。
【請求項２２】
前記特定の処理とは、画像のシングル再生、削除、保護処理、メニュー表示のいずれかであることを特徴とする請求項１乃至２１のいずれか１項に記載の表示制御装置。
【請求項２３】
複数の画像を一画面に表示する表示工程と、
前記表示工程で表示された画像の指定を受け付ける受付工程と、
前記受付工程により、前記表示されている画像の指定が受け付けられた場合、該画像に対して特定の処理を行うよう制御する制御工程とを有し、
前記受け付け工程にて、前記表示されている画像のうち、選択状態でない画像かつ所定の大きさ未満のサイズで表示されている画像の指定が受け付けられた場合、前記制御工程では、該画像に対して前記特定の処理を行うことなく該画像を選択状態にするよう制御することを特徴とした、表示制御装置の制御方法。
【請求項２４】
複数の画像を同一のサイズで一画面に表示する表示工程と、
前記表示工程で表示された画像の指定を受け付ける受付工程と、
前記受付工程により、前記表示されている画像の指定が受け付けられた場合、該画像に対して特定の処理を行うよう制御する制御工程とを有し、
前記画面に表示される複数の画像の数が所定の数よりも多い状態で、前記受け付け手段により、選択状態でない画像の指定が受け付けられた場合、前記制御工程では、該画像に対して前記特定の処理を行うことなく該画像を選択状態にするよう制御することを特徴とした、表示制御装置の制御方法。
【請求項２５】
請求項２３または２４に記載の制御方法をコンピュータに実行させるためのコンピュータが読取可能なプログラム。
【請求項２６】
請求項２５に記載のプログラムを記憶した記録媒体。
【手続補正２】
【補正対象書類名】明細書
【補正対象項目名】０００６
【補正方法】変更
【補正の内容】
【０００６】
上記目的を達成するために本発明の表示制御装置は、複数の画像を一画面に表示するよう制御する表示制御手段と、前記表示制御手段で表示された画像の指定を受け付ける受付手段と、前記受け付け手段により、前記表示されている画像の指定が受け付けられた場合、該画像に対して特定の処理を行うよう制御する制御手段とを有し、前記表示されている画像のうち選択状態でない画像かつ所定の大きさ未満のサイズで表示されている画像の指定が、前記受け付け手段により受け付けられた場合、前記制御手段は、該画像に対して前記特定の処理を行うことなく該画像を選択状態にするよう制御することを特徴とする。